(57)【要約】【課題】  現像ローラへの特別な回転制御手段を設けることなく、従来構成のままで現像ローラ軸方向に発生し易かったトナー付着ムラを無くし、原稿画像の再現性に優れたカラー電子写真装置用の現像器を提供する。【解決手段】  非磁性１成分の現像剤であるトナーを使用し、感光体と、複数の着脱可能な現像器とを備え、該現像器は、前記感光体に接触して回転する現像ローラと、該現像ローラに接触して前記現像ローラにトナーを付着させる供給ローラと、該現像ローラに平面接触してニップ部を形成するブレード部材とを有したカラー電子写真装置に使用において、前記現像ローラの円筒スリーブ部がクラウン形状の場合は円筒度１０μm以下、逆クラウン形状の場合は円筒度２０μm以下であることを特徴とする。【選択図】  図１
2007164067.tif 000002
【特許請求の範囲】
【請求項１】
非磁性１成分の現像剤であるトナーを使用し、感光体と、複数の着脱可能な現像器とを備え、該現像器は、前記感光体に接触して回転する現像ローラと、該現像ローラに接触して前記現像ローラにトナーを付着させる供給ローラと、該現像ローラに平面接触してニップ部を形成するブレード部材とを有したカラー電子写真装置に使用において、
前記現像ローラの円筒スリーブ部がクラウン形状の場合は円筒度１０μm以下、逆クラウン形状の場合は円筒度２０μm以下であることを特徴とするカラー電子写真装置。
【請求項２】
前記現像ローラの円筒スリーブ部がアルミ合金の機械加工により製造され、表面にショットブラスト等で加工された粗さＲａ＝０．２〜０．４の凹凸が設けられたことを特徴とする請求項１記載のカラー電子写真装置。
【請求項３】
前記現像ローラの円筒スリーブ部外径がφ１３〜φ１９であることを特徴とする請求項１記載のカラー電子写真装置。
【発明の詳細な説明】
【技術分野】
【０００１】
本発明は、カラー電子写真装置に係り、詳しくは同装置に使用される現像器に関するものである。
【背景技術】
【０００２】
非磁性１成分の現像剤であるトナーを感光体に供給する現像ローラは、従来技術において円筒部の円筒形状及び、幾何公差としての円筒度値そのものは規定されておらず、これまでの例においても回転軸の軸受指示部をデータムとした現像ローラ１０の円筒部外径の“振れ”のみ規定されてあり、該“振れ”公差値としては５０μmにて実施されてきた。（例えば特許文献１）
一般的な用途でカラー電子写真装置が用いられる場合の印刷では、用紙総面積に占める画像の面積(以下黒化率という)は５％程度で、多くても３０％程度であり、この程度の黒化率において多用される印画パターンは線画あるいは部分的なハーフトーン及びフィルパターンであり、従来技術であっても必要十分な画質を提供することが可能であり、実用上満足の行くカラー電子写真装置であった。
【０００３】
近年、グラフィック或いは写真画像を扱う機会が増え、これを印刷する用途でカラー電子写真装置が利用される機会が高まってきている。この利用分野においては、印刷メディア総面積の多くをトナー画像で占めることとなり、部分的に僅かなトナー付着量の多い、少ない、の差(以下トナー付着ムラという)があった場合に、可視画像としてオリジナル原稿には無い陰影を表現してしまう結果となる。従来技術においては印刷メディア総面積に亘る画像印刷を行った場合に、特に現像ローラの軸方向に上述したトナー付着ムラが発生し易く、該トナー付着ムラに起因するトナー像の陰影をしばしば発生させることがあり、写真画像用途に十分に満足の行く画像品質を確保するためには、よりトナー付着ムラの無い均一なトナー像を現像できる現像器が求められていた。
【０００４】
【特許文献１】特許第３４４１７３７号
【発明の開示】
【発明が解決しようとする課題】
【０００５】
現像ローラへの特別な回転制御手段を設けることなく、写真画像用途での使用時に印刷画像上、現像ローラ軸方向に発生し易かったトナー付着ムラを無くし、原稿画像の再現性に優れたカラー電子写真装置を提供する。
【課題を解決するための手段】
【０００６】
本発明は、非磁性１成分の現像剤であるトナーを使用し、感光体と、複数の着脱可能な現像器とを備え、該現像器は、前記感光体に接触して回転する現像ローラと、該現像ローラに接触して前記現像ローラにトナーを付着させる供給ローラと、該現像ローラに平面接触してニップ部を形成するブレード部材とを有したカラー電子写真装置に使用において、前記現像ローラの円筒スリーブ部がクラウン形状の場合は円筒度１０μm以下、逆クラウン形状の場合は円筒度２０μm以下であることを特徴とする。
【発明の効果】
【０００７】
本発明によれば、トナー像濃淡ムラ発生を防止することができ、写真画像用途に十分に満足の行く画像品質を実現することのできるカラー電子写真装置を提供することができる。
【発明を実施するための最良の形態】
【０００８】
以下、本発明の実施形態に係るカラー電子写真装置を図１〜図７により説明する。
【０００９】
本発明を搭載するカラー電子写真装置用の現像器の基礎となる構成を図１に示す。
【００１０】
図１において、６は現像器で、内部に非磁性１成分の現像剤であるトナー１７、現像ローラ１０、該現像ローラ１０とサッカして前記現像ローラ１０にトナーを供給する供給ローラ１１、該供給ローラ１１と面接触してニップ部を形成するステー部材１２、現像ローラ１０上に所定量のトナーを、所定の帯電を帯びて付着させるためのブレード１３、現像器６内部で供給ローラ１１へのトナー搬送を円滑に行うためのパドル１４，１５，１６を有する。現像器６の大きさによっては、パドル１５，１６は更に何本か追加で設けられることもある。
【００１１】
現像ローラ１０、供給ローラ１１、パドル１４，１５，１６はそれぞれ、図の２２，２３，２４，２５，２６で示す矢印方向に回転するように構成されている。本実施形態においては、現像ローラ１０、供給ローラ１１、パドル１４，１５，１６は一連の駆動ギアトレイン(図示せず)にて連結され、各々が連動して動くように構成されている。
【００１２】
図３は、本発明の現像装置を搭載するカラー電子写真装置の概略構成図である。
【００１３】
カラー電子写真装置１は、機体枠体のほぼ中央部に潜像保持手段であるエンドレス感光ベルト２を垂直方向に長く設置してあり、このエンドレス感光ベルト２を間にして、図の左側にエンドレスベルトを用いた中間転写体である転写装置３と、図の右側に４色の異なる色（ブラック，イエロー，マゼンタ，シアン）のトナーを充填した現像器６ｋ，６ｙ，６ｍ，６ｃを配置している。現像器６ｃの下側にはエンドレス感光ベルト２に潜像を形成するための露光装置５を設けている。
【００１４】
エンドレス感光ベルト２は駆動装置（図示せず）により矢印２０の方向に回転する。また、転写装置３は矢印２１の方向に回転する。露光装置５はエンドレス感光ベルト２を露光することにより、エンドレス感光ベルト２の表面に静電潜像を形成する。該静電潜像は現像器６ｋ，６ｙ，６ｍ，６ｃの何れかを選択して現像することにより、選択したトナーの顕像となる。現像しない時の各現像器は、エンドレス感光ベルト２から離反方向に付勢され、トナーが移動できない距離または位置まで退避している。
【実施例】
【００１５】
図２は、現像ローラ１０の構成を示す図である。
【００１６】
１０ａは現像ローラの円筒スリーブ部で、材質がアルミ合金製で、両端には軸受部と嵌合するためのシャフトを兼ねたフランジ１０ｂ，１０ｃが圧入されている。フランジ１０ｂ，１０ｃを円筒スリーブ部１０ａに圧入した後に円筒スリーブ部１０ａ外径の機械加工が為され外径φ１８で、フランジ１０ｂ，１０ｃの軸受嵌合部をデータムとして円筒スリーブ部１０ａ外径の幾何公差は“振れ”で０．０５に管理、現像ローラの円筒スリーブ部１０ａがクラウン形状で加工された場合は円筒度１０μm以下、逆クラウン形状に加工された場合は円筒度２０μm以下の精度に管理されている。また本実施例では、円筒スリーブ部１０ａ外径表面にはショットブラスト等で加工された粗さＲａ＝０．３３〜０．３５μmの凹凸が設けられ、現像ローラとしてのトナー搬送性が与えられている。
【００１７】
図４は、現像ローラ円筒スリーブ部の円筒形状及び円筒度の組合せによって画像上のトナー像濃淡ムラ発生が変化する様子を説明する相関データを示す。
【００１８】
画像上のトナー像濃淡ムラ発生の程度を官能評価してランク分けし、許容ランクを３以下として現像ローラ円筒スリーブ部の円筒形状別にまとめた結果を図４，５に示す。図４は、円筒形状が逆クラウン形の場合、図５は円筒形状がクラウン形の場合のデータを示す。
円筒形状の逆クラウン形、クラウン形の円筒形状イメージ図として、図６，７に円筒度測定装置により出力された立体図を示す。図６は、円筒形状が逆クラウン形の場合、図７は円筒形状がクラウン形の場合の立体図を示す。
【００１９】
図４のデータから本提案により管理された現像ローラ１０を用いたカラー電子写真装置用現像器でのトナー像濃淡ムラ発生防止に関して有効である事がわかる。
【図面の簡単な説明】
【００２０】
【図１】本発明の一実施例である現像器の模式図である。
【図２】本発明の一実施例である現像ローラの断面図である。
【図３】本発明の一実施例であるカラー電子写真装置の断面図である。
【図４】本発明における、現像ローラ円筒スリーブ部の円筒形状が逆クラウン形の場合の円筒度とトナー像濃淡ムラ発生程度(官能表価値)の相関を示すグラフ。
【図５】本発明における、現像ローラ円筒スリーブ部の円筒形状がクラウン形の場合の、円筒度とトナー像濃淡ムラ発生程度(官能表価値)の相関を示すグラフ
【図６】本発明における、現像ローラ円筒スリーブ部の円筒形状が逆クラウン形の円筒形状イメージ図(円筒度測定装置により出力された立体図)。
【図７】本発明における、現像ローラ円筒スリーブ部の円筒形状がクラウン形の円筒形状イメージ図(円筒度測定装置により出力された立体図)。
【符号の説明】
【００２１】
１…カラー電子写真装置、２…感光ベルト、３…転写装置、４…帯電装置、５…露光装置、６ｋ，６ｙ，６ｍ，６ｃ…現像器、１０…現像ローラ、１０ａ…現像ローラの円筒スリーブ部、１０ｂ…円筒スリーブ部端部圧入フランジ、１０ｃ…円筒スリーブ部端部圧入フランジ、１１…供給ローラ、１２…ステー部材、１３…ブレード、１４…パドル、１５…パドル、１６…パドル、１７…トナー、２０…感光体回転方向、２１…転写装置回転方向、２２…現像ローラ回転方向、２３…供給ローラ回転方向、２４，２５，２６…パドル回転方向。
【図１】
2007164067.tif 000003
【図２】
2007164067.tif 000004
【図３】
2007164067.tif 000005
【図４】
2007164067.tif 000006
【図５】
2007164067.tif 000007
【図６】
2007164067.tif 000008
【図７】
2007164067.tif 000009